(57)【要約】銀又は銀合金の条材（４）を巻き付けるためのリール（３）は、ライナー（１）を有する。ライナー（１）は、紙製の２枚のライナー材（１Ａ，１Ｂ）と、ライナー材（１Ａ，１Ｂ）の間に挟み込まれた吸湿性剤（２）とを有する。ライナー材（１Ａ，１Ｂ）の外周同士は接着される。吸湿性剤（２）の一例は、繊維間にシリカゲル、塩化カルシウム又は石灰の粒又は粉を保持する不織布である。吸湿性剤（２）は、粒状又は粉状の吸湿剤が詰まった扁平な袋でもよい。粒状又は粉状の吸湿剤は、ライナー材（１Ａ，１Ｂ）の間に直接詰めてもよい。吸湿性剤（２）は、硫黄銀の生成を加速させる湿気を吸収するので、条材（４）の硫化が抑制される。
2012090886.tif 000002
【特許請求の範囲】
【請求項１】
紙製のライナー材に板状の吸湿性材を合わせて構成したことを特徴とする硫化防止リール。
【請求項２】
請求項１において、２枚の紙製のライナー材の間に板状の吸湿性材を介在させてライナー材の外周を密封して全一体に構成したことを特徴とする硫化防止リール。
【請求項３】
請求項１もしくは請求項２において、２枚のライナー材の間に、不織布の繊維間内に吸湿剤を散在させて構成した板状の吸湿性材を介在させてライナー材の外周を密封して全一体に構成したことを特徴とする硫化防止リール。
【請求項４】
請求項１もしくは請求項２において、２枚の紙製のライナー材の間に、扁平の袋内に吸湿剤を詰めて構成した板状の吸湿性材を介在させてライナー材の外周を密封して全一体に構成したことを特徴とする硫化防止リール。
【請求項５】
請求項１もしくは請求項２において、２枚の紙製のライナー材の間に、粒状の吸湿剤を直接詰め込み、ライナー材の外周を密封して全一体に構成したことを特徴とする硫化防止リール。
【発明の詳細な説明】
【技術分野】
【０００１】
本発明は、銀および銀合金からなる帯状材や線材等の条材を巻き付けて保管、輸送するリールに関する。
【背景技術】
【０００２】
銀および銀合金からなる材料は、従来からその表面の硫化に対して防止加工が施され、取扱には細心の注意を払っている。【０００３】
特に、電気接点材料における接点として使用する際には、材料表面に硫化皮膜が存在すると、その厚みによっては接触障害をおこし、接点として致命的な障害となる。【０００４】
また、電気接点材料として使用する前工程において、台材との接合工程があり、その接合工程において、Ｃｕ系やＦｅ系の台材にスポット溶接、シーム溶接もしくはろう付け等の方法を用いて接合する際に，接点材料に硫化皮膜が存在すると、その厚みによっては、接合強度を低下させる要因となり、その結果として、接点として使用されたときに接合強度不足が生じ、接点の異常消耗、溶着などの不具合が発生することになる。【０００５】
こうしたことから、銀および銀合金からなる製品、特に電気接点材料においては、製造、出荷後製品として使用にいたるまでの間、硫化防止策を講じる必要がある。【０００６】
近年、銀や銀合金からなる材料が出荷された後、海外等の遠隔地に船や航空機で輸送されることとなり、出荷から長期間にわたる保管、搬送を経てから使用される状況が増加している。こうした場合、保管、搬送において、温度や湿度の変化、振動、直射日光にさらされることがあり、硫化発生の条件が多く、硫化による変色不具合が発生する。【０００７】
そこで、銀および銀合金からなる条材を梱包する場合、紙製のリールに巻き付け、シリカゲルをケースに入れた吸湿剤を同梱したり、脱気包装を行うことで、合成樹脂製の包装袋の中に空気が残留しないようにしたり、あるいは真空包装を行うことで、製品の硫化防止対策としている。【０００８】
なお、硫化防止ではないが、リールに巻き付けた条材の傷付き事故防止の技術として、梱包シートの端部に面ファスナーを取り付け、リールに巻き付けた条材の外周面をその梱包シートで覆う技術がある（例えば、特許文献１）。
【先行技術文献】
【特許文献】
【０００９】
【特許文献１】特開２００１−３０２１０５公報
【発明の概要】
【発明が解決しようとする課題】
【００１０】
このような技術においては、海外等の遠隔地に製品を送る際には、これらの対策を講じても、場合によっては硫化が発生してしまい、それが要因となって電気接点材料として使用した場合に、接触抵抗の増大によって接触障害を起こしたり、台材との接合不足を招いたりすることがある。【００１１】
海外等の遠隔地に材料を送付する場合には、紙製のリールは吸湿性があるためにリールを合成樹脂製とすることもあるが、運送費および単価が高くなってしまい、使い捨てができる紙製が好まれることになる。【００１２】
本発明は、このような問題を解決することを課題とする。
【課題を解決するための手段】
【００１３】
そこで本発明は、紙製リールのライナーに吸湿性材を組み合わせることにより、紙自体が湿気を帯びることを防止することで、巻き付けた銀および銀合金の条材が硫化することがないようにした。【００１４】
ここで、銀および銀合金における硫化現象の説明を行う。空気中に微量に存在するＨ2ＳとＡｇが反応して硫化現象が引き起こされるのではなく、次式のように、
４Ａｇ＋２Ｈ2Ｓ＋Ｏ2＝２Ａｇ2Ｓ＋２Ｈ2Ｏ
という反応が起きて硫化銀Ａｇ2Ｓが生成されるものである。【００１５】
つまり、Ａｇの硫化という現象においては、Ｏ2がキャリアガスとして大きく関与するということである。また、上記の式から、銀の硫化現象は、温度、湿度、光といった要素がＯ2をキャリアガスとして引き起こされる反応を加速させることで発生する現象であるともいえる。【００１６】
上記の一般的な概念を踏まえたうえで本発明を説明する。【００１７】
銀および銀合金からなる条材を巻き付けるリールにおいて、その構成材料を、紙と吸湿性材とを組み合わせて作製する。【００１８】
このように構成することにより、紙がわずかに湿気を帯びたとしても、組み合わせた吸湿性材が湿気を直接吸収することにより紙が湿気を帯びることがなく、銀の硫化現象の要因である水分と酸素が銀に作用しにくくなり、結果として硫化を防ぐことができることになる。【００１９】
なお、リールに銀および銀合金の条材を巻き付けた時にその条材が触れる側面部の紙が湿気を帯びないようにする必要があり、確実に湿気を吸収するように吸湿性材が紙の全面と組み合わされているようにすることが肝要である。
【発明の効果】
【００２０】
以上の構成によるリールに、銀および銀合金からなる条材を巻き付け、ビニール袋で包装して船便にて２カ月の輸送期間を経たものについて、その条材の側面部と表面部の硫化被膜の有無を調べた結果、硫化被膜の生成は確認されなかった。【００２１】
硫化被膜の有無は、材料に対してオージェ電子分光分析を行い、硫黄成分（Ｓ）の有無を確認した。
【図面の簡単な説明】
【００２２】
【図１】実施例１の構成を示す説明図
【図２】実施例１を示す説明図
【図３】実施例３の構成を示す説明図
【図４】実施例３を示す説明図
【発明を実施するための形態】
【００２３】
本発明の実施例を説明図を用いて説明する。
【実施例１】
【００２４】
図１は構成を示す説明図であり、図において、１Ａ、１Ｂは、紙製のライナー材であり、一般的には円形であるが、形状は任意である。そのライナー材１Ａ、１Ｂの間に同形にした板状の吸湿性材２を介在させる。【００２５】
この吸湿性材２は、例えば、不織布の繊維間内にシリカゲル、塩化カルシウムもしくは石灰等の粒状（粉状を含む。）の吸湿剤を均等に散在させて構成したもの、または、織布や不織布製の扁平の袋内に吸湿剤を詰めて構成したもの、あるいは、薄型のハードケースに吸湿剤を詰めたものなどである。【００２６】
このようにした吸湿性材２をライナー材１Ａ、１Ｂの間に挟み込み、ライナー材１Ａ、１Ｂの外周を密封して全一体に構成してライナー１を形成する。【００２７】
また、吸湿性材を、２枚のライナー材に挟まず、１枚だけに合わせてその吸湿性材とライナー材との外周を接着させた構造でもよく、その場合、吸湿性材を内側に位置させた方が好ましいが、吸湿性材を必ず内側としなければいけないものではない。【００２８】
このように形成したライナー１によって、図２に示す如く、リール３を形成する。なお、説明の都合上、図２においてライナー１の周囲は密閉状態を示していない。【００２９】
この密封は、吸湿性材２を挟み込んだ両側のライナー材１Ａ、１Ｂの外周内側同士を直接接着させればよい。なお、この密閉構造はこのような構造に限るものではなく、例えば、接着テープによって吸湿性材２を挟み込んだライナー材１Ａ、１Ｂの外周を覆うように接着してもよく、その構造は適宜であるが、挟み込む吸湿性材２とライナー材１Ａ、１Ｂとは同一寸法にするとライナー材１Ａ、１Ｂに吸湿性材２と接触していない個所がなくなり、ライナー材１Ａ、１Ｂの湿気を吸着されない個所がなくなるために、巻き付けた銀もしくは銀合金の条材４の硫化の発生を防ぐことができる。【００３０】
また、リール３に銀または銀合金の条材４を巻き付けるものであるが、リール３の巻き付け部の幅（両ライナー材１Ａ、１Ｂの間隔）と条材４の幅とを同一幅として、巻き付ける条材の側面をライナー材１Ａ、１Ｂの内側面に密着させて巻き付けることによって、硫化を防止することができる。【００３１】
また、条材を巻き付けるリールの芯材も吸湿性材を挟み込んだ紙ロールで構成するとよい。梱包する際には、条材４を巻き付けたリール３をビニール袋に入れて脱気包装を施す。
【実施例２】
【００３２】
本実施例は、その構成は図示しないが、ライナー材１Ａ、１Ｂの間に、上記同様の粒状（粉体を含む。）の吸湿剤を直接詰め込むように入れてライナー材１Ａ、１Ｂの外周内側同士を接着して密封することにより密閉した状態を構成したものである。【００３３】
このように、粒状の吸湿剤をライナー材１Ａ、１Ｂの間に直接詰め込み、ライナー材１Ａ、１Ｂの外周を密封して全一体に構成してライナー１を形成する。【００３４】
なお、上記密閉状態は、このような構造に限るものではなく、例えば、接着テープによって吸湿剤を詰め込むように入れたライナー材１Ａ、１Ｂの外周を覆うように接着してもよい。その構造は適宜であるが、詰め込む吸湿剤をライナー材１Ａ、１Ｂの外周一杯まで詰めることによりライナー材１Ａ、１Ｂに吸湿剤と接触していない個所がなくなり、ライナー材１Ａ、１Ｂの湿気を吸着されない個所がなくなるために、巻き付けた銀もしくは銀合金の条材４の硫化の発生を防ぐことができる。【００３５】
このように形成したライナー１によってリールを形成し、上記と同様にして使用する。
【実施例３】
【００３６】
本実施例は、図３に示す如く、ライナー材１Ａ、１Ｂの間に、ライナー材と同形にした紙もしくは合成樹脂製の波板５を介在させ、その波板５とライナー材１Ａ、１Ｂとで形成される筋状の隙間内に上記同様の粒状（粉体を含む。）の吸湿剤を直接詰めてライナー材１Ａ、１Ｂの外周内側同士を接着して密封することにより密閉した状態を構成したものである。【００３７】
このように吸湿剤を波板５とライナー材１Ａ、１Ｂの間に直接詰め込み、ライナー材１Ａ、１Ｂの外周を密封して全一体に構成してライナー１を形成し、上記と同様にして使用する。【００３８】
このように形成したライナー１によって図４に示す如く、リール３を形成する。なお、説明上、図４においてライナー１の周囲は密閉状態を示していない。【００３９】
この密閉状態も上記と同様に、このような構造に限るものではなく、例えば、接着テープによって波板５との隙間に吸湿剤を詰め込むように入れたライナー材１Ａ、１Ｂの外周を覆うように接着してもよい。その密閉構造は適宜であるが、吸湿剤を詰め込む波板とライナー材１Ａ、１Ｂとは同一寸法にするとライナー材１Ａ、１Ｂに吸湿剤と接触していない個所がなくなり、ライナー材１Ａ、１Ｂの湿気を吸着されない個所がなくなるために、巻き付けた銀もしくは銀合金の条材４の硫化の発生を防ぐことができる。
【符号の説明】
【００４０】
１  ライナー
１Ａ、１Ｂ  ライナー材
２  吸湿性材
３  リール
４  条材
５  波板
【図１】
2012090886.tif 000003
【図２】
2012090886.tif 000004
【図３】
2012090886.tif 000005
【図４】
2012090886.tif 000006
【国際調査報告】
2012090886.tif 000007
2012090886.tif 000008
2012090886.tif 000009
2012090886.tif 000010